(57)【要約】【課題】ハイヒール靴を履いた際の靴擦れを防止することができるレギンスを提供する。【解決手段】裾部分に形成した先端開口部１４からは、ハイヒール靴２０の爪先部分２２と足２６の甲の一部が貫通して露出する。踵部分に形成したヒール開口部１６からは、ハイヒール靴２０のヒール部２４が貫通して露出する。先端開口部１４とヒール開口部１６の連絡部分（着用したときに土踏まず部分に該当する部分）は分割されており、係止部１８によって自由に開閉可能となっている。ハイヒール靴２０と共に着用する際には、ハイヒール靴２０の上（外側）から着用して、足２６とハイヒール靴２０とを一体として固定する。【選択図】図３
0003163529.tif 000002
【実用新案登録請求の範囲】
【請求項１】
少なくとも腿の一部から足の一部を覆うように着用する両脚用又は片脚用のレギンスであって、ハイヒール靴を履いた状態で着用した際に、少なくとも前記ハイヒール靴の先端部分と足の甲の一部とが露出する先端開口部と、前記ハイヒール靴のヒール部分が貫通して露出するヒール開口部と、前記先端開口部と前記ヒール開口部との連絡部分を分割可能にする係止手段とを備え、前記ハイヒール靴を履いた際に前記ハイヒール靴の外側から前記足と共に前記ハイヒール靴をも包含する状態で固定して着用することを特徴とするレギンス。
【請求項２】
前記ヒール開口部は、前記ヒール部分の幅と同じ又は少しだけ広くしたことを特徴とする請求項１記載のレギンス。
【請求項３】
前記係止手段が、前記ハイヒール靴を履いた際に前記ハイヒール靴の靴裏又は靴側面に位置することを特徴とする請求項１又は２記載のレギンス。
【考案の詳細な説明】
【技術分野】
【０００１】  本考案は、主に女性向けのカジュアルな衣類であり、腰又は脚の腿（膝上或いは膝下あたり）から足の甲（爪先手前部分）までを覆うように着用する両脚用又は片脚用のスパッツの一種であるレギンスに関するものである。
【背景技術】
【０００２】  近年、ファッション業界により、スパッツを指し示す新しいファッション用語として、レギンスという称呼が打ち出されている。
レギンスとは、主に女性向けのカジュアルな衣類であり、伸縮性のある素材で、脚をぴったりとフィットするようにできている密着性のあるパンツ状、タイツ状又はソックス状の衣類である。このレギンスとは、上述の通り、広義のスパッツであり、スパッツとはほぼ同じ衣類を指すものとして使われることも珍しくない。
また、このレギンスの一種にトレンカと呼ばれるものがある。一般的なレギンスは、その先端（裾部分）は長くても踝付近までのものが多いが、特許文献１に示すレギンスのように、足先（爪先部分）と踵部分とを露出させ、裾部分の一部を土踏まず部分に引っ掛けて着用するものもあり、このような裾部分の構造を持つレギンスの中でも特にトレンカと呼ぶ傾向もある。また、特許文献２に示すように、同様の裾部分の構造を持つソックス状のものも広義のトレンカである。
【先行技術文献】
【特許文献】
【０００３】
【特許文献１】意匠登録第１３７４００２号公報
【特許文献２】特開２００９−２７０２２３号公報
【考案の概要】
【考案が解決しようとする課題】
【０００４】  レギンス（以下、スッパツ及びトレンカを含む総称とする）は、主に女性のファッション用途に利用されるものであるが、同様に、女性のファッションとして頻繁に登場するアイテムとして、パンプス等のように履いたときにヒール部分によって踵部分が爪先部分よりも高く持ち上げられる履物（以下、ハイヒール靴）がある。女性は、レギンスを着用してこのハイヒール靴を履くことも多い。
しかしながら、このハイヒール靴を履く際に、多くの女性を悩ます問題として、歩行において足を踏み出す毎に、踵等の足の一部とハイヒール靴とが摩擦を起こして靴擦れが発生するという問題がある。
そこで、本考案は、上記のような問題点に鑑みて為されたものであり、ハイヒール靴を履いた際の靴擦れを防止することができるレギンスを提供することを目的とする。
【課題を解決するための手段】
【０００５】  上記課題を解決するため、請求項１記載の考案に係るレギンスは、少なくとも腿の一部から足の一部を覆うように着用する両脚用又は片脚用のレギンスであって、ハイヒール靴を履いた状態で着用した際に、少なくとも前記ハイヒール靴の先端部分と足の甲の一部とが露出する先端開口部と、前記ハイヒール靴のヒール部分が貫通して露出するヒール開口部と、前記先端開口部と前記ヒール開口部との連絡部分を分割可能にする係止手段とを備え、前記ハイヒール靴を履いた際に前記ハイヒール靴の外側から前記足と共に前記ハイヒール靴をも包含する状態で固定して着用することを特徴とする。
また、請求項２に係るレギンスは、前記ヒール開口部は、前記ヒール部分の幅と同じ又は少しだけ広くしたことを特徴とする。
また、請求項３に係るレギンスは、前記係止手段が、前記ハイヒール靴を履いた際に前記ハイヒール靴の靴裏又は靴側面に位置することを特徴とする。
【考案の効果】
【０００６】  本考案に係るレギンスは、ハイヒール靴と共に着用する際に、ヒール開口部からハイヒール靴のヒール部分を貫通して露出させることができるので、ハイヒール靴の上（外側）から着用することができる。これにより、足とハイヒール靴とを一体として固定することができるので、足とハイヒール靴との固定性・安定性が増し、歩行において足を踏み出す毎に靴と踵等の足の一部とが摩擦を起こすことを防止し、靴擦れの発生を好適に抑えることができる。従来のレギンス（特許文献１）やトレンカ（特許文献２）等では、ハイヒール靴の上（外側）から着用しようとすると、裾部分（土踏まず部分）を無理に引っ張ってヒール部分を跨いで通さなければならないので、素材が伸びたり痛んだりして品質が損なわれる虞があるが、本考案に係るレギンスであれば、着用時に土踏まず部分に該当する連絡部分には、留め具等の開閉可能な係止手段を設けてあるので、その係止手段によって連絡部分を開閉することによって、簡単にヒール部分を通すことができ、レギンスを着用したままの状態でも容易にハイヒール靴の履き脱ぎができる。【０００７】  また、本考案に係るレギンスでは、ヒール開口部の大きさを小さくする、即ち、ハイヒール靴のヒール部分の幅とほぼ同じとすることにより、ヒール部分だけを露出させる一方で、踵部分が広範囲に亘りレギンスにより覆われることになるので、足とハイヒール靴との固定性をさらに向上させることができる。一方、従来のレギンス（特許文献１）やトレンカ（特許文献２）等では、ハイヒール靴の上（外側）から着用することは想定していないため、開口部を小さくする意味がなく、素足の踵全体を露出させるように踵部分の開口部が広くとられている。このような従来の構成では、ハイヒール靴の上（外側）から着用した場合、緩く不安定になってしまい、靴擦れを防止できる程の固定性や安定性を得ることができない。
また、特に、ヒール開口部の大きさを小さくすると、通常ではハイヒール靴の履き脱ぎのし難さが逆に気になってしまうという危惧があるが、本考案においては、係止手段によりヒール開口部から先端開口部に連絡する部分を開閉可能としているので、ヒール開口部を小さくしてもそのような心配はなく、容易にハイヒール靴の履き脱ぎが可能である。【０００８】  また、係止手段をハイヒール靴の靴裏に位置するようにすれば、製造が容易なため大量生産に向いているうえ、着用時に係止手段が見た目にも邪魔にならない。一方、係止手段をハイヒール靴の靴側面に位置するようにすれば、操作し易くなるので、ハイヒール靴の履き脱ぎがより容易になる。
【図面の簡単な説明】
【０００９】
【図１】本考案に係るレギンスの背面図である。
【図２】（ａ）は本考案に係るレギンスのＡ−Ａ部分の拡大図である。（ｂ）は同Ａ−Ａ部分の係止部を開いた状態の拡大図である。
【図３】本考案に係るレギンスの使用状態を示す参考図である。
【図４】本考案に係るレギンスの使用方法を示す参考図である。
【図５】本考案に係るレギンスの他の実施形態を示す背面図である。
【考案を実施するための形態】
【００１０】  以下、図面に基づき、本考案に係るレギンスの好適な実施形態について説明する。
図１は、本考案に係るレギンス１０の背面図（お尻側から見た図）である。図２は、本考案に係るレギンス１０のＡ−Ａ部分の拡大図である。図３は、本考案に係るレギンス１０の使用状態を示す参考図である。図４は、本考案に係るレギンスの使用方法を示す参考図である。
【００１１】  本実施例におけるレギンス１０は、主として本体１２から成り、本体１２には、先端開口部１４と、ヒール開口部１６と、係止部１８とを備えている。本体１２は、綿、ナイロン、ポリウレタン等の伸縮素材から成る。本実施例は、腰から着用する形状のものであるので、着用したときには、腰部、臀部、大腿部、下腿部、足２６にぴったりフィットするように密着する。また、詳細は後述するが、ハイヒール靴２０の上（外側）から着用するので、ハイヒール靴２０にもぴったりとフィットするように密着する。なお、本実施例は腰から着用する形状のものであるが、脚部（大腿部や下腿部）から下に着用する形状のものであっても構わない。
【００１２】  本実施例のレギンス１０は、ハイヒール靴２０と共に着用する際に、ハイヒール靴２０の上（外側）から着用することができる。このとき、裾部分に形成した先端開口部１４からは、ハイヒール靴２０の爪先部分２２と足２６の甲の一部が貫通して露出する。また、踵部分に形成したヒール開口部１６からは、ハイヒール靴２０のヒール部２４が貫通して露出する。このとき、ヒール開口部１６の大きさは、ヒール部２４の幅と同等か、それよりも若干広く設定されていることが好ましい。また、このヒール開口部１６に、より伸縮性の高い素材を利用すれば、ヒール部２４を貫通して着用した際に密着性が高まり好ましい。このように、本実施例のレギンス１０では、足２６とハイヒール靴２０とを一体として固定することができる。これにより、足２６とハイヒール靴２０との固定性・安定性が増し、歩行において足を踏み出す毎にハイヒール靴２０がずれて足２６の一部（踵等）と摩擦を起こすことを防止し、靴擦れの発生を好適に抑えることができる。特に、ヒール開口部１６の大きさを極限まで小さくし、即ち、ハイヒール靴２０のヒール部２４の幅とほぼ同じとすることによって、踵部分が広範囲に亘りレギンス１０により覆われることになるので、足２６とハイヒール靴２０との固定性・安定性をさらに向上させることができる。
【００１３】  先端開口部１４とヒール開口部１６との連絡部分（着用したときに土踏まず部分に該当する部分）は分割されており、係止部１８によって自由に開閉可能となっている。図２（ｂ）に示すように、係止部１８を外した際には、先端開口部１４からヒール開口部１６までの連絡部分が開放される構造である。係止部１８には、フック、ホック、スナップ等の簡易的な留め具や、マジックテープ等の着脱手段を利用することができる。このように、本実施例のレギンス１０では、専用の金具や紐等を本体１２に別途備え付ける必要はなく、本体１２にヒール開口部１６と係止部１８を形成するという簡単な加工を施すだけで良い。
【００１４】  次に、図４を参照して、上記構成のレギンス１０をハイヒール靴２０とを共に着用する方法について説明する。
まず、レギンス１０を着用した状態で、係止部１８を外しておき、先端開口部１４からヒール開口部１６までの連絡部分を開放しておく。その状態でハイヒール靴２０を履いた後、ヒール開口部１６が踵部分にかかるまで本体１２（係止部１８）を引き下げ、裾部分において左右に分割された本体１２（係止部１８）をハイヒール靴２０の両側から下に引っ張り、靴裏（靴底）で締結する。これにより、レギンス１０をハイヒール靴２０の上（外側）から着用でき、レギンス１０により足２６とハイヒール靴２０とを一体として包含することにより、固定することができる。このように、開閉可能な係止部１８を備え、裾部分において左右に分割可能なレギンス１０であれば、レギンス１０を着用したままの状態でもハイヒール靴２０を容易に履き脱ぎすることができる。
【００１５】  なお、ここでは、ハイヒール靴２０の靴裏部分において、係止部１８を締結する構成としたが、ハイヒール靴２０の靴側面部分（外側内側どちらでも可能）において、係止部１８を締結する構成としても良い（図示略）。前者であれば、製造が容易なため大量生産に向いているうえ、着用時に係止部１８が見た目にも邪魔にならない等の利点を有する。一方、後者であれば、係止部１８の操作がし易くなりハイヒール靴２０の履き脱ぎがより容易になる。このように、係止部１８を靴裏又は靴側面のどちらに位置させた場合であっても、互いにそれぞれ利点がある。
【００１６】  また、これまで説明したレギンス１０の形状は、両脚用（腰から着用するパンツ状の形状）であったが、本考案の裾部分の構造は、図５に示すような片脚用のものにも当然適用できる。なお、主要な構成は上述の通りであるので、ここでは１００番台として参照番号を援用することとし、詳細な説明は省略する。
【産業上の利用可能性】
【００１７】  本考案に係るレギンスであれば、上述の通り、ハイヒール靴の使用時の悩みであった靴擦れ等の問題を好適に解決できるうえ、簡単な構造であるため廉価にて製造することができる。また、本考案に係るレギンスは、着用時には、ハイヒール靴まで一緒に覆うデザインであるため、脚（足）とハイヒール靴とが一体的に見え、ハイヒール靴自体のデザイン性を損なうことなく、美観的な面からも、脚が長く見える等の効果を生じさせる。
このように、本考案に係るレギンスは、従来には無かった多くの利点を有するので、その利用可能性はとても明るいものであり、ファッション業界の発展に寄与することが十分に期待できる。
【符号の説明】
【００１８】  １０    レギンス
１２    本体
１４    先端開口部
１６    ヒール開口部
１８    係止部
２０    ハイヒール靴
２２    爪先部分
２４    ヒール部
２６    足
【図１】
0003163529.tif 000003
【図２】
0003163529.tif 000004
【図３】
0003163529.tif 000005
【図４】
0003163529.tif 000006
【図５】
0003163529.tif 000007